(57)【特許請求の範囲】
【請求項１】
筒形嵌合部を有するハウジングに対し側方からリテーナを仮係止位置に組み付けた状態で端子金具を後方から挿入し、前記リテーナを本係止位置へ向けて側方へ変位させることでそのリテーナを前記端子金具に係止させてその端子金具を抜け止めするようにした雄側コネクタと、
この雄側コネクタの前記筒形嵌合部内に嵌合される雌側コネクタとを備えてなり、
前記ハウジングは、前記端子金具の挿入及び前記リテーナの組付けを可能としたインナハウジングと、このインナハウジングに対して囲むように組み付けられるアウタハウジングとにより構成され、
前記リテーナは、前記インナハウジング内に挿入されて前記端子金具と係止することでその端子金具を抜止めする抜止め部とそれぞれ板状をなしその板面が前記抜止め部を挟むようにしてかつ同抜止め部と直交するようにして延びるとともに前記抜止め部の基端から前記インナハウジングに対する前記リテーナの組付け方向と同方向へ片持ち状に延出する一対の保持片とを備え、前記リテーナを前記インナハウジングに組み付けるときに前記両保持片が前記インナハウジングの対向する外面に沿って摺動し、前記保持片に設けられた係止部が前記インナハウジングの外面に係止することで前記リテーナを前記仮係止位置及び前記本係止位置において遊動規制する構成とされているコネクタであって、
前記保持片はその前記インナハウジングに対する係止部よりも自由端側の位置同士を連結部により拡開規制状態に連結され、
さらに前記連結部は前記インナハウジングの前端面に露出して前記リテーナの移動操作を可能としていることを特徴とするコネクタ。
【請求項２】
前記保持片における前記係止部の形成領域が薄肉とされていることを特徴とする請求項１記載のコネクタ。
【請求項３】
前記係止部の形成領域は、前記保持片における前記アウタハウジングとの対向面を凹ませることで薄肉とされていることを特徴とする請求項２記載のコネクタ。
【請求項４】
前記連結部が前記インナハウジングの前端面よりも突出する形態とされ、前記雌側コネクタの前端面には前記リテーナが前記本係止位置に位置する状態でのみ嵌合可能な検知溝が形成されていることを特徴とする請求項１乃至請求項３のいずれかに記載のコネクタ。
【発明の詳細な説明】
【０００１】
【発明の属する技術分野】
本発明は、リテーナにより抜止めを行うコネクタに関するものである。
【０００２】
【従来の技術】
リテーナによる端子金具を抜け止めするコネクタの一例として、ドイツ特許公開第３７０５７３９号公報に開示されているものがある。これは、コネクタハウジングに対し、後方から端子金具を挿入するとともに、側方からリテーナを取付け、そのリテーナを端子金具に係止してその端子金具の後方への変位を規制するようになっている。リテーナはアーム状の保持片の先端に突起状の抜止め部を形成したものであり、保持片をコネクタハウジングの外面に沿って嵌合することで、リテーナが所定の組付け位置に保持される。組付け状態では抜止め部が端子金具に係止されて抜止めを行う。
【０００３】
【発明が解決しようとする課題】
［端子金具の抜止め機能に関して］
上記従来のコネクタは、リテーナの保持片がコネクタハウジングの外面に露出されていることから、保持片が外部からの異物の干渉によって撓まされる可能性があるが、この保持片の先端には抜止め部が形成されていることから、保持片に対する干渉の影響が抜止め部にも及ぶことになる。この場合、抜止め部が端子金具から外れる方向へ変位する虞があり、端子金具の抜止め信頼性に関して問題がある。
【０００４】
そこで、上記問題を解決する手段としては、抜止め部を保持片とは独立させ、抜止め部をコネクタハウジングの内部に差し込むようにするとともに、この抜止め部の基端からハウジングの外面に沿うように保持片を片持ち状に延出させる形状が考えられる。かかるリテーナによれば、保持片が外部からの干渉を受けて撓んでも、抜止め部には干渉の影響が及ばずに済むようになる。
ところで、端子金具を収容するハウジングから前方に突出する筒形嵌合部を備えた雄側コネクタに対し、側方組み付けタイプのリテーナを適用することが要望されているが、その雄側コネクタが防水タイプのものである場合には、ハウジングの外面にリテーナの取付孔を開口させることができない。そこで、端子金具を収容するインナハウジングと、このインナハウジングに外嵌するように組み付け可能であって筒形嵌合部を備えたアウタハウジングとの２ピース構造とすることが考えられる。この雄側ハウジングは、リテーナをインナハウジングに対して側方から仮係止位置に組み付け、このインナハウジングに対しリテーナを覆うようにアウタハウジングを組み付け、端子金具をインナハウジングに挿入し、最後にリテーナを本係止位置へスライドさせ、もって組付けが完了するような構造となる。
【０００５】
さて、このような２ピースタイプの防水用雄側コネクタに対し、上述したような抜止め部と保持片とを独立させた側方組み付けタイプのリテーナを適用した場合、次のような課題が生じる。インナハウジングの外周とアウタハウジングの内周との間にはリテーナの保持片を配するためのスペースを確保しなければならないが、この保持片用のスペースは、雄側コネクタの大型化を避けることを考慮すると、できるだけ小さくすることが望ましい。
【０００６】
ところが、リテーナが端子金具の挿抜動作を許容する仮係止位置と端子金具を抜け止めする本係止位置との間で移動する際には、保持片がインナハウジング側の係止部を乗り越えるためにアウタハウジングの内周に向けて外側へ撓み、特に保持片の自由端の撓み量は大きくなる。そのため、保持片用のスペースを小さくすると、保持片の自由端がアウタハウジングの内周に強く当接し、その結果、大きな摩擦抵抗が生じてリテーナの変位操作が困難になる。
【０００７】
もし、この摩擦抵抗を軽減しようとするとインナハウジングとアウタハウジングとの間のスペースを大きくすればよいが、そうすると雄側コネクタが大型化することになる。このように、雄側コネクタの小型化とリテーナの操作性向上の両方を両立させることができない、という問題があった。
尚、この対策としては、保持片全体を薄肉としてその剛性を低下させ、保持片とアウタハウジングの内周との間に生じる摩擦抵抗の低減を図ることが考えられる。しかし、インナハウジングに組み付ける前のリテーナをバラの状態で袋詰めしたものを運搬したり袋からリテーナを取り出す場合等には、保持片が薄肉であると、保持片が変形したり折損する虞がある。したがって、保持片を薄肉にすることは根本的な解決手段とはなり得ない。
【０００８】
本願発明は上記事情に鑑みて創案され、雄側コネクタの小型化とリテーナの操作性向上の両方を両立させることを目的としている。
【０００９】
【課題を解決するための手段】
請求項１の発明は、筒形嵌合部を有するハウジングに対し側方からリテーナを仮係止位置に組み付けた状態で端子金具を後方から挿入し、前記リテーナを本係止位置へ向けて側方へ変位させることでそのリテーナを前記端子金具に係止させてその端子金具を抜け止めするようにした雄側コネクタと、この雄側コネクタの前記筒形嵌合部内に嵌合される雌側コネクタとを備えてなり、前記ハウジングは、前記端子金具の挿入及び前記リテーナの組付けを可能としたインナハウジングと、このインナハウジングに対して囲むように組み付けられるアウタハウジングとにより構成され、前記リテーナは、前記インナハウジング内に挿入されて前記端子金具と係止することでその端子金具を抜止めする抜止め部とそれぞれ板状をなしその板面が前記抜止め部を挟むようにしてかつ同抜止め部と直交するようにして延びるとともに前記抜止め部の基端から前記インナハウジングに対する前記リテーナの組付け方向と同方向へ片持ち状に延出する一対の保持片とを備え、前記リテーナを前記インナハウジングに組み付けるときに前記両保持片が前記インナハウジングの対向する外面に沿って摺動し、前記保持片に設けられた係止部が前記インナハウジングの外面に係止することで前記リテーナを前記仮係止位置及び前記本係止位置において遊動規制する構成とされているコネクタであって、前記保持片はその前記インナハウジングに対する係止部よりも自由端側の位置同士を連結部により拡開規制状態に連結され、さらに前記連結部は前記インナハウジングの前端面に露出して前記リテーナの移動操作を可能としていることを特徴とするものである。
【００１０】
請求項２の発明は、請求項１記載の発明において、前記保持片における前記係止部の形成領域が薄肉とされている構成とした。
請求項３の発明は、請求項２の発明において、前記係止部の形成領域は、前記保持片における前記アウタハウジングとの対向面を凹ませることで薄肉とされている構成とした。
請求項４の発明は、請求項１乃至請求項３のいずれかの発明において、前記連結部が前記インナハウジングの前端面よりも突出する形態とされ、前記雌側コネクタの前端面には前記リテーナが前記本係止位置に位置する状態でのみ嵌合可能な検知溝が形成されている構成としている。
【００１２】
【発明の作用及び効果】
［請求項１の発明］
リテーナが変位する際には、インナハウジングの外面に沿った一対の保持片の係止部がインナハウジング側の係止箇所を乗り越えるために外側へ撓むのであるが、この係止部よりも自由端側の部分は連結部によって拡開規制されているので、インナハウジングとアウタハウジングとの間の保持片用のスペースが狭くても、保持片の自由端がアウタハウジングの内周に強く当接することがなく、リテーナの変位動作が円滑に行われる。
また、連結部がインナハウジングの前端面に露出されているので、この連結部を雄側コネクタの前方から指や治具等で操作すれば、リテーナを変位させることができる。
【００１３】
［請求項２の発明］
保持片を拡開規制したことで、保持片全体としては撓み難くなっているのであるが、係止部の形成領域では薄肉とすることで撓み易くなっているので、保持片の係止部がインナハウジング側の係止部を乗り越えるときの抵抗が軽減され、リテーナの変位動作の円滑化が向上する。
［請求項３の発明］
係止部の形成領域の凹んだ部分は、係止部がインナハウジングから離間するように外側へ撓む際の撓み空間となるので、係止部の形成領域が外側へ膨らんだときに、アウタハウジングの内周に対する当接を回避又は当接圧を低減することができる。
【００１４】
［請求項４の発明］
リテーナが本係止位置にある正規の状態で両コネクタを嵌合させると、連結部が検知溝に嵌まり込むことにより両コネクタが正規嵌合状態に至る。リテーナが仮係止位置のままで雄雌両コネクタを嵌合すると、リブ状に突出した連結部が雌側コネクタの前端面に突き当たることで、両コネクタが嵌合不能となる。このように、両コネクタの嵌合過程でリテーナの位置を検知することができる。
【００１５】
【発明の実施の形態】
［実施形態１］
以下、本発明を具体化した実施形態１を図１乃至図５を参照して説明する。
本実施形態のコネクタは、互いに嵌合・離脱が可能な雄側コネクタＭと雌側コネクタＦとからなる。雌側コネクタＦは、図示しない端子金具が挿入されるハウジング本体Ｆａ、このハウジング本体Ｆａを包囲するように形成した筒状部Ｆｂ、及びハウジング本体Ｆａの外周に装着したシールリングＦｃとを備えて構成される。
【００１６】
雄側コネクタＭは、雄端子金具Ｔが挿入されるハウジング１０と挿入した雄端子金具Ｔを抜け止めするためのリテーナ２６とを備え、ハウジング１０はインナハウジング１１とアウタハウジング２０とを組み付けて構成される。
インナハウジング１１は合成樹脂製であり、その内部には、インナハウジング１１の前後両端面間を貫通する複数のキャビティ１２が左右方向に並んで形成されているとともに、インナハウジング１１の左右両側面間を貫通するリテーナ取付孔１３が形成されている。インナハウジング１１の左側面においては、リテーナ取付孔１３の孔縁のうち上縁と下縁が切欠された逃がし凹部１４となっており、この逃がし凹部１４には後述するようにリテーナ２６の支持部３０が嵌合されるようになっている。インナハウジング１１の後端部外周はアウタハウジング２０の内周に対して上下左右方向の遊動不能に嵌合される位置決め部１５となっている。また、この位置決め部１５よりも先方においては上面と下面が互いに平行な平坦状のガイド面１６とされており、このガイド面１６に対して上記位置決め部１５が段差状に突出した形態となっている。このガイド面１６には、左右方向におけるほぼ中央に位置して係止突起１７が形成されている。この係止突起１７は三角形断面であって前後方向に延びており、この係止突起１７によりリテーナ２６が仮係止位置と本係止位置に保持されるようになっている。さらに、インナハウジング１１の右側面には、アウタハウジング２０に対して組み付け状態に保持するためのロック突起１８が形成されている。このロック突起１８は、インナハウジング１１の外面から突出するのではなく、その外面を前後方向の溝状に部分的に切欠した形態とされている。
【００１７】
アウタハウジング２０は合成樹脂製であり、全体として筒状をなしている。アウタハウジング２０内のほぼ後半部分には、隔壁２１で仕切られることにより前後方向に貫通する複数のキャビティ２２が左右方向に並んで形成されている。このキャビティ２２は夫々、インナハウジング１１のキャビティ１２と整合するように位置する。また、アウタハウジング２０内のキャビティ２２の前方に隣接する空間は、インナハウジング１１が嵌合される嵌合空間２３とされており、さらにこの嵌合空間２３よりも前方の筒状部分は雌側コネクタＦの筒状部Ｆｂに内嵌される筒形嵌合部２４とされている。この筒形嵌合部２４の内周には雌側コネクタＦのシールリングＦｃが密着され、両コネクタＭ，Ｆの周面間が防水状態とされる。また、アウタハウジング２０の内周における右側の側面には、インナハウジング１１のロック突起１８が係止されるロック突起２５とされている。
【００１８】
リテーナ２６は、合成樹脂製であって、インナハウジング１１に対して取り付け可能とされ、仮係止位置と本係止位置とに保持されるようになっている。リテーナ２６は抜止め部２７と一対の保持片２８とからなる。抜止め部２７は、厚肉で比較的剛性の高い方形板状をなし、上記リテーナ取付孔１３に緊密且つ抜き挿し可能に嵌合される。この抜止め部２７には、雄端子金具Ｔの貫通を可能とする貫通孔２９がキャビティ１２，２２と同じピッチで形成され、この貫通孔２９の孔縁の一部は、キャビティ１２，２２に正規挿入された雄端子金具Ｔの段差部Ｔｅに係止可能とされている。図２に示すようにリテーナ２６がインナハウジング１１に仮係止された状態では貫通孔２９がキャビティ１２，２２に整合して雄端子金具Ｔを挿入を許容し、図３に示すようにリテーナ２６が本係止されると、貫通孔２９の孔縁が雄端子金具Ｔの段差部Ｔｅに係止し、もって雄端子金具Ｔが抜止めされる。
【００１９】
保持片２８は、抜止め部２７の基端部に支持部３０を介して一体成形され、リテーナ取付孔１３に対する抜止め部２７の嵌入方向と同じ方向（インナハウジング１１を基準にして右方向）へ片持ち状に延出する。保持片２８は、板面を抜止め部２７と直交するように向けた板状をなし、インナハウジング１１の上下両面のガイド面１６に沿って摺動するようになっている。保持片２８は、リテーナ２６をインナハウジング１１に対して仮係止位置及び本係止位置に保持するためのものであり、その手段として保持片２８の互いに対向する面には、仮係止溝３１（本発明の構成要件である係止部）と本係止溝３２（本発明の構成要件である係止部）が形成されている。仮係止溝３１がインナハウジング１１の係止突起１７に嵌合することでリテーナ２６が仮係止位置に保持され、本係止溝３２が係止突起１７に嵌合することでリテーナ２６が本係止位置に保持される。また、保持片２８の仮係止溝３１及び本係止溝３２の形成されている領域は、保持片２８の外面（アウタハウジング２０の内周と対向する面）を浅く凹ませた形態の薄肉部３３とされている。リテーナ２６を仮係止位置から本係止位置へ変位させる際には、係止突起１７を乗り越えるためにこれら係止溝３１，３２の形成されている領域、即ち薄肉部３３がインナハウジング１１のガイド面１６から離間するように外側へ湾曲状に弾性変形するようになっている。
【００２０】
上下両保持片２８は、その前縁同士が連結部３４で連結されることによって拡開変位を規制されている。連結部３４は上下方向に細長い形状とされ、また、連結部３４の位置は、仮係止溝３１及び本係止溝３２の形成されている薄肉部３３に対して保持片２８の自由端側とされている。連結部３４はインナハウジング１１の前端面から突出した状態とされ、リテーナ２６が仮係止位置と本係止位置との間で変位するのに伴って連結部３４はインナハウジング１１の前端面に沿って移動する。尚、雌側コネクタＦのハウジング本体Ｆａの前端面には、リテーナ２６が本係止位置にある状態で連結部３４と対応するように位置して検知溝Ｆｄが形成されている。したがって、リテーナが仮係止位置にある状態では連結部３４が検知溝Ｆｄから外れた位置となる。
【００２１】
雄端子金具Ｔは、全体として前後方向に細長く、前端部が雌側コネクタＦの図示しない雌端子金具と嵌合接続されるタブＴａとされ、タブＴａの後端には角筒部Ｔｂが連成され、角筒部Ｔｂの後端には細い延出部Ｔｃが連成され、延出部Ｔｃの後端には電線Ｗが圧着される電線接続部Ｔｄが連成され、さらに角筒部Ｔｂと延出部Ｔｃとの連なり部分が上記リテーナ２６に係止される段差部Ｔｅとなっている。かかる雄端子金具Ｔは後方からキャビティ２２，１２に挿入されるようになっている。
【００２２】
次に、本実施形態の作用を説明する。
雄側コネクタＭの組付けの際には、まず、アウタハウジング２０から分離されているインナハウジング１１に対してリテーナ２６を組み付ける。このときリテーナ２６の抜止め部２７はリテーナ取付孔１３に左方から嵌入され、上下両保持片２８はインナハウジング１１の上下両面のガイド面１６に沿って摺動され、連結部３４はインナハウジング１１の前端面に沿って変位する。そして、保持片２８の仮係止溝３１がインナハウジング１１の係止突起１７に嵌合したところで、リテーナ２６が仮係止位置に組み付けられる。
【００２３】
次に、このリテーナ２６が組み付けられたインナハウジング１１をアウタハウジング２０に対して前方から押し込む。インナハウジング１１が嵌合空間２３の奥端面に突き当たって正規の組付け状態に至るとロック突起１８，２５同士が係止し、もって、両ハウジング１１，２０が合体状態となる。この状態では、リテーナ２６の保持片２８とアウタハウジング２０の内周との間には僅かな隙間Ｓのみが空く。
【００２４】
この後、ハウジング１０に対して後方から雄端子金具Ｔを挿入する。このとき、リテーナ２６は仮係止位置に位置するので、挿入動作は支障なく行われる。挿入状態では、タブＴａがインナハウジング１１の前方へ突出して筒形嵌合部２４の内部に臨み、角筒部Ｔｂがインナハウジング１１のキャビティ１２におけるリテーナ取付孔１３よりも前方の空間内に位置し、延出部Ｔｃがリテーナ２６の貫通孔２９からインナハウジング１１のキャビティ１２の後端部を経てアウタハウジング２０のキャビティ２２の前端部に亘って位置し、電線接続部Ｔｄ及びこれに接続された電線Ｗの端末部がアウタハウジング２０のキャビティ２２内に位置する。
【００２５】
この後、仮係止位置にあるリテーナ２６を本係止位置へ移動させる。これにより、貫通孔２９の孔縁が雄端子金具Ｔの段差部Ｔｅに係止し、もって雄端子金具Ｔが抜止め状態とされる。この移動操作は、アウタハウジング２０の前方から図示しない治具又は指等を差し入れ、これを連結部３４に引っ掛けて右方へ押動させることで行うことができる。リテーナ２６を本係止位置に移動させる際には、インナハウジング１１の係止突起１７を乗り越えるために保持片２８が外側（アウタハウジング２０の内周側）へ向けて湾曲するように変位するが、このとき、この湾曲する部分は薄肉部３３とされていて撓み剛性が低減されているので、係止突起１７を乗り越えるときの保持片２８の撓みに起因する抵抗が小さくて済む。また、保持片２８の薄肉部３３よりも自由端側の位置は連結部３４によって拡開変位を規制されているので、乗り越えの際に、保持片２８の自由端が大きく外側へ変位してアウタハウジング２０の内周に当接する、ということもない。
【００２６】
本実施形態では、以下の効果を奏する。
▲１▼リテーナ２６が仮係止位置から本係止位置へ変位する際には、インナハウジング１１の外面に沿った一対の保持片２８がインナハウジング１１側の係止突起１７を乗り越えるために外側へ撓むのであるが、この保持片２８はその係止突起１７を乗り越える部分（仮係止溝３１及び本係止溝３２の形成領域）が連結部３４によって拡開規制されているので、本実施形態のようにインナハウジング１１とアウタハウジングとの間の保持片用のスペースＳが狭くても、保持片２８の自由端がアウタハウジング２０の内周に強く当接することがなく、したがって、リテーナ２６の変位動作を円滑に行うことができる。
【００２７】
▲２▼保持片２８を拡開規制したことで、保持片２８全体としては撓み難くなっているため、リテーナ２６を単独で袋詰めにして運搬する時などにリテーナ２６同士が干渉しても、保持片２８が変形・破損する虞がない。しかも、連結部３４によって両保持片２８を連結しているので、変形・破損の防止効果が高い。
▲３▼保持片２８は全体として圧肉で剛性が高いのであるが、係止突起１７の乗り越えに伴って撓む薄肉部３３（仮係止溝３１及び本係止溝３２の形成領域）については薄肉とすることで撓み易くしているので、乗り越える際の撓み抵抗が軽減される。したがって、保持片２８全体の剛性アップに起因してリテーナ２６の円滑な変位動作が妨げられることはない。
【００２８】
▲４▼薄肉部３３の外側の凹んだ部分は、薄肉部３３がインナハウジング１１から離間するように外側へ撓む際の撓み空間となる。よって、薄肉部３３が外側へ膨らんだときに、アウタハウジング２０の内周に当接する虞がない。
▲５▼連結部３４がインナハウジング１１の前端面に露出されているので、この連結部３４を雄側コネクタＭの前方から指や治具等で操作すれば、リテーナ２６を変位させることができ、したがって、リテーナ２６とアウタハウジング２０の内周との間に変位操作用のスペースを設ける必要がなく、その分、小型化を図ることができる。
【００２９】
▲６▼リテーナ２６が本係止位置にある正規の状態で雄雌両コネクタＭ，Ｆを嵌合させた場合には、連結部３４が検知溝Ｆｄに嵌まり込むことにより両コネクタＭ，Ｆが正規の嵌合状態に至る。これに対し、リテーナ２６が仮係止位置のままで雄雌両コネクタＭ，Ｆを嵌合しようとした場合には、リブ状に突出した連結部３４が検知溝Ｆｄに嵌入せずに雌側コネクタＦの前端面に突き当たるため、両コネクタＭ，Ｆが正規嵌合状態に至ることはできない。このように、両コネクタＭ，Ｆが正規の嵌合状態に至るか否かによりリテーナ２６の位置を検知することができる。
【００３０】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では保持片の係止部の形成領域をアウタハウジングとの対向面を凹ませることで薄肉としたが、本発明によれば、インナハウジングとの対向面を凹ませて薄肉としても良く、アウタハウジングとの対向面及びインナハウジングとの対向面の双方を凹ませて薄肉としてもよい。
【００３１】
（２）上記実施形態では連結部がインナハウジングの前面よりも突出する形態としたが、本発明によれば、連結部がインナハウジング内に収容される形態としてもよい。
（３）上記実施形態では防水コネクタに適用した例を説明したが、本発明は、非防水タイプのコネクタにも適用することができる。
（４）本実施形態では連結部を保持片の自由端よりも基端側の位置に設けたが、本発明によれば、保持片の自由端に連結部を配してもよい。
【図面の簡単な説明】
【図１】実施形態１の分解斜視図
【図２】リテーナが仮係止位置にある状態を示す断面図
【図３】リテーナが本係止位置にある状態を示す断面図
【図４】リテーナが仮係止位置にある状態を示す正面図
【図５】リテーナが本係止位置にある状態を示す正面図
【符号の説明】
Ｆ…雌側コネクタ
Ｆｄ…検知溝
Ｍ…雄側コネクタ
Ｔ…雄端子金具
１０…ハウジング
１１…インナハウジング
２０…アウタハウジング
２４…筒形嵌合部
２６…リテーナ
２７…抜止め部
２８…保持片
３１…仮係止溝（係止部）
３２…本係止溝（係止部）
３３…薄肉部
３４…連結部
【図１】
0003543668.tif 000002
【図２】
0003543668.tif 000003
【図３】
0003543668.tif 000004
【図４】
0003543668.tif 000005
【図５】
0003543668.tif 000006